(57)【要約】【課題】  吸込みパイプを大径とし、ポンプの取付筒外周に嵌合させ、高粘度の内容液を吸込むとともに、パイプ下端にアダプターを取着し、剥離した内層によってパイプの開口が塞がれることを防止したデラミボトル用ポンプを提供すること。【解決手段】  デラミボトル用ポンプとして、ポンプは、下端に吸込みパイプの取付筒を設けたシリンダーを具えており、吸込みパイプは、その上端が吸込みパイプの取付筒の外周に嵌合され、吸込みパイプの下端には、外周に複数の流入孔を設け、下端に開口を設けたアダプタが嵌合されていることを特徴とする。【選択図】  図１
2007297979.tif 000002
【特許請求の範囲】
【請求項１】
デラミボトル用のポンプであって、
ポンプは、下端に吸込みパイプの取付筒を設けたシリンダーを具えており、
吸込みパイプは、その上端が吸込みパイプの取付筒の外周に嵌合され、
吸込みパイプの下端には、外周に複数の流入孔を設け、下端に開口を設けたアダプタが嵌合されていることを特徴とするデラミボトル用ポンプ。
【発明の詳細な説明】
【技術分野】
【０００１】
本発明は、デラミボトル用のポンプ、とくに高粘度の内容液を吐出するデラミボトル用のポンプに関するものである。
【背景技術】
【０００２】
デラミボトルに収納された内容液を、容器内の空気を巻き込まずに吐出するため、吸込みパイプのパイプ端を容器底部近くまで垂下させたデラミボトル用ポンプは、従来より知られている（例えば、特許文献１、図５、特許文献２参照）。
【特許文献１】特願２０００−１６４７３号公報
【特許文献２】特願２００５−１６２２１５号公報
【発明の開示】
【発明が解決しようとする課題】
【０００３】
しかしながら、上記各特許文献記載の従来のボトルは、空気の巻き込み、内層による吸込みの遮断などを防止することはできるが、内容液が高粘度で大容量吐出する場合には、吸込みパイプの径を大きくする必要があった。
吸込みパイプの径が大きくなると、剥離した内層がパイプの開口内に入り込み、内容液の吸込みを遮断し、ノズル上昇を妨げたり、とくに連続吐出の際はノズルが上がりきらないうちに再度ノズルを押すため、規定量の吐出ができないという問題が派生するようになった。
また、径が大きくなると、従来の取付筒のように吸込みパイプを取付筒の内筒に嵌合することができないという問題があった。
【０００４】
本発明は、前記の問題を解決することを課題とし、吸込みパイプを大径とし、ポンプの取付筒外周に嵌合させ、高粘度の内容液を吸込むとともに、パイプ下端にアダプターを取着し、剥離した内層によってパイプの開口が塞がれることを防止したデラミボトル用ポンプを提供することを目的とする。
【課題を解決するための手段】
【０００５】
本発明は、上記の課題を解決するため、デラミボトル用ポンプとして、ポンプは、下端に吸込みパイプの取付筒を設けたシリンダーを具えており、吸込みパイプは、その上端が吸込みパイプの取付筒の外周に嵌合され、吸込みパイプの下端には、外周に複数の流入孔を設け、下端に開口を設けたアダプタが嵌合されていることを特徴とする構成を採用する。
【発明の効果】
【０００６】
本発明は、吸込みパイプをポンプ取付筒の外周に嵌合することによって、吸込みパイプの内径を大きくすることができ、高粘度の内容液を効率的に吸込むことができるようになった。
また、吸込みパイプの下端に、外周面に流入孔を設け下端に開口を設けたアダプタを取付け、その開口を底面近くまで垂下させているから、規則正しく押潰された内側層の内容液を、最後まで効果的に吸上げることができるようになった。
【発明を実施するための最良の形態】
【０００７】
次に、本発明のデラミボトル用ポンプの実施態様について、図面を参照して説明する。
図１において、Ａはデラミボトル、Ｂはポンプで、上端にノズルヘッドＣを装着し、下端に吸込みパイプを取着している。
Ｄは、ポンプＢをデラミボトルＡに取着する取付キャップである。
【０００８】
デラミボトルＡは、外側層１と、該外側層１から剥離可能な内側層２とから形成されており、所定の位置には、上下に延びる帯状の接着層が設けられている。
外周にねじを螺設した口筒部３と胴部４、底部５とからなり、内容液として、粘度が１Ｐａ・ｓ以上の高粘度の化粧料、洗剤、液体石鹸等が収納されている。
【０００９】
ポンプＢは、従来より公知のように、シリンダー６と、該シリンダー６内に装着されたピストン装置７とを具えており、シリンダー６は、上端にフランジを設け、下端に弁座筒８に連設されたパイプ取付筒９が設けられている。
【００１０】
ピストン装置７は、下端にシリンダー６内周内で上下動するピストン板１０と吸入孔を設け、上方に吐出弁を具えたステム１１と、ピストン弁１２とを具え、下方には、シリンダー６の弁座筒８と係合する吸込み弁１３が設けられており、吸込み弁１３とピストン板１０との間には、スプリング１４が弾装されている。
【００１１】
図２、３に示すように、シリンダー６のパイプ取付筒９には、吸込みパイプ１５が取着されている。
吸込みパイプ１５の内径は、内容物が高粘度の粘液であるため大きくなっており、その上端部１６は、パイプ取付筒９の外周に嵌合されるようになっている。
吸込みパイプ１５の内径は、内径４ｍｍφ以下の場合、内容物が吸上がらないため、５．０ｍｍφ以上であればよく、実施例として、５ｍｍ〜７ｍｍとしているが、粘度に応じて大きくすることもできる。
【００１２】
吸込みパイプ１５の下端部１７は、底部近くまで垂下され、その内周には、アダプタ１８が嵌合されている。
アダプタ１８は、環状突条を設けた嵌合筒１９と、複数の流入孔２０を穿孔し、下端部を開口２１とした流入筒２２とからなっている。
【００１３】
図１に示すように、ピストン装置７のステム１１の上端には、ノズル２３を具えたノズルヘッドＣが取着されている。
【００１４】
取付キャップＤは、ノズルヘッドＣの案内筒を立設した上壁２５と、口筒部１のねじに螺合するねじを螺設した側周壁２６とからなっており、デラミボトルＡの口筒部３に螺着して、シリンダー６のフランジを口筒部３天面に圧接するようにしている。
【００１５】
次に、本発明ポンプの作用効果について説明する。
本発明のポンプは、従来の公知のものと同様に、ノズルヘッドＣを押圧操作することによって、吸込みパイプ１５を介してポンプＢ内に内容液を吸入し、ノズル２３から吐出する。
内容物の吐出に応じて、容器内が減圧され、内側層２が外側層１から剥離され、潰されていく。
【００１６】
その際、図４に示すように、上下方向に延びる接着層によって規則正しく剥離し、潰されていくが、潰された内側層２が、アダプタ１８に接合し、まず開口２１から閉鎖しはじめるが、接着層のある側では剥離が遅れるため、接着層のある側（図でパーティングラインｐの左側の積層部）の流入孔２０は閉鎖されずに内容物が吸込まれる。  
【００１７】
吸込みパイプ１５の径は、５．０ｍｍφ以上の大径で、アダプタ１８の嵌合筒１９は、吸込みパイプ１５の径よりも小さいが、吸込みパイプが大径なので、抵抗力を受けることなく効率的に内容液が吸上げられる
したがって、１Ｐａ・ｓ以上の高粘度の内容液を、アダプタ１８、大径の吸込みパイプ１５を通じて吸込むことができるようになった。
【産業上の利用可能性】
【００１８】
本発明は、外周に流入孔を設け、下端に開口を設けたアダプタを吸込みパイプの下端に嵌合し、吸込みパイプの上端を、ポンプのパイプ取付筒の外周に嵌合させるようにしているので、吸込みパイプを大径とし、高粘度の内容液を効果的に吸上げることができ、化粧料、液体石鹸等デラミボトル用のポンプとして広く利用することができる。
【図面の簡単な説明】
【００１９】
【図１】本発明のポンプを装着したデラミボトルの一部断面立面図である。
【図２】吸込みパイプを説明する一部断面立面図である。
【図３】アダプタを説明する図で、（ａ）は断面立面図、（ｂ）は斜視図である。
【図４】使用中のデラミボトルの説明図である。
【符号の説明】
【００２０】
Ａ        デラミボトル
Ｂ        ポンプ
Ｃ        ノズルヘッド
Ｄ        取付キャップ
ｐ        パーティングライン
１        外側層
２        内側層
３        口筒部
４        胴部
５        底部
６        シリンダー
７        ピストン装置
８        弁座筒
９        パイプ取付筒
１０      ピストン板
１１      ステム
１２      ピストン弁
１３      吸込み弁
１４      スプリング
１５      吸込みパイプ
１６      上端部
１７      下端部
１８      アダプタ
１９      嵌合筒
２０      流入孔
２１      開口
２２      流入筒
２３      ノズル
２５      上壁
２６      側周壁
【図１】
2007297979.tif 000003
【図２】
2007297979.tif 000004
【図３】
2007297979.tif 000005
【図４】
2007297979.tif 000006